(57)【要約】【課題】内部に通される光学繊維束等のような内蔵物を配置するためのスペースを犠牲にする必要がなく、且つ硬い状態に調整された状態でも内蔵物を全く損傷することのないように可撓性を調整することができる内視鏡の可撓管を提供すること。【解決手段】各種内蔵物１０が挿通配置されて外周面に螺旋溝１２が形成された可撓性チューブ１１と、螺旋溝１２内に嵌め込まれたコイルスプリング１３と、螺旋溝１２に沿って可撓性チューブ１１をきつく締め付ける状態と締め付けない状態とにコイルスプリング１３の径を変化させるためのコイル径制御手段１６とが設けられている。【選択図】      図１
2006087755.tif 000002
【特許請求の範囲】
【請求項１】
各種内蔵物が挿通配置された挿入部を外装する内視鏡の可撓管において、
上記各種内蔵物が挿通配置されて外周面に螺旋溝が形成された可撓性チューブと、上記螺旋溝内に嵌め込まれたコイルスプリングと、上記螺旋溝に沿って上記可撓性チューブをきつく締め付ける状態と締め付けない状態とに上記コイルスプリングの径を変化させるためのコイル径制御手段とが設けられていることを特徴とする内視鏡の可撓管。
【請求項２】
上記コイル径制御手段が、上記コイルスプリングを一端側から軸線周りに捩じることにより上記コイルスプリングの径を変化させる請求項１記載の内視鏡の可撓管。
【請求項３】
上記コイルスプリングが形状記憶合金により形成されていて、上記コイル径制御手段が上記コイルスプリングに対する通電状態を制御するものである請求項１記載の内視鏡の可撓管。
【請求項４】
上記コイル径制御手段が、上記コイルスプリングの径を複数箇所において相違する状態に制御することができる請求項１、２又は３記載の内視鏡の可撓管。
【発明の詳細な説明】
【技術分野】
【０００１】
この発明は内視鏡の可撓管に関する。
【背景技術】
【０００２】
内視鏡の可撓管は一般に、金属螺旋管に網状管を被覆して、その外面を可撓性の外皮で被覆した構成になっており、挿入対象である臓器の種類に応じて硬さを途中で変化させてある場合がある。
【０００３】
しかし、大腸等のように形状が複雑に曲がりくねっている管状臓器に内視鏡を挿入する場合には、可撓管の硬さが単に途中で変化しているだけでは、内視鏡挿入に伴って臓器内における可撓管の位置が変化した時に可撓管の硬さが適切でない状態になって、それ以上の挿入が困難になる場合がある。
【０００４】
そこで従来は、硬さを必要に応じて変化させることができる硬度調整部材を可撓管内に挿通配置し、硬度調整ワイヤを牽引操作することにより、状況に合わせて可撓管の硬さを調整することができるようにしていた（例えば、特許文献１、２）。
【特許文献１】特開平１０−１７９５０９
【特許文献２】特開平１０−２０１７０３
【発明の開示】
【発明が解決しようとする課題】
【０００５】
特許文献１及び２に記載されている硬度調整部材は、硬度調整ワイヤにより圧縮力が与えられると硬くなる特性を有するコイルパイプであり、光学繊維束やチューブ類等のような各種内蔵物と並んで可撓管内に挿通配置されている。
【０００６】
そのため、可撓管を十分に曲がり難くするだけの硬さを与えようとするとコイルパイプを相当に太いものにする必要が生じて、他の内蔵物を配置するためのスペースを犠牲にせざるを得なくなると共に、コイルパイプを硬く調整した状態で可撓管が複雑に屈曲されると、光学繊維束等のような他の内蔵物がコイルパイプで圧迫されて損傷してしまう場合がある。
【０００７】
そこで本発明は、内部に通される光学繊維束等のような内蔵物を配置するためのスペースを犠牲にする必要がなく、且つ硬い状態に調整された状態でも内蔵物を全く損傷することのないように可撓性を調整することができる内視鏡の可撓管を提供することを目的とする。
【課題を解決するための手段】
【０００８】
上記の目的を達成するため、本発明の内視鏡の可撓管は、各種内蔵物が挿通配置された挿入部を外装する内視鏡の可撓管において、各種内蔵物が挿通配置されて外周面に螺旋溝が形成された可撓性チューブと、螺旋溝内に嵌め込まれたコイルスプリングと、螺旋溝に沿って可撓性チューブをきつく締め付ける状態と締め付けない状態とにコイルスプリングの径を変化させるためのコイル径制御手段とが設けられているものである。
【０００９】
なお、コイル径制御手段が、コイルスプリングを一端側から軸線周りに捩じることによりコイルスプリングの径を変化させるようにしてもよく、或いは、コイルスプリングが形状記憶合金により形成されていて、コイル径制御手段がコイルスプリングに対する通電状態を制御するものであってもよい。
【００１０】
また、コイル径制御手段が、コイルスプリングの径を複数箇所において相違する状態に制御することができるようにしてもよい。
【発明の効果】
【００１１】
本発明によれば、可撓性チューブの外周面に形成された螺旋溝に沿って可撓性チューブをきつく締め付ける状態と締め付けない状態とにコイルスプリングの径を変化させることにより可撓性チューブの可撓性が変化するので、内部に通される光学繊維束等のような内蔵物を配置するためのスペースを犠牲にする必要がなく、且つ硬い状態に調整された状態でも内蔵物を全く損傷することのないように内視鏡の可撓管の可撓性を調整することができる。
【発明を実施するための最良の形態】
【００１２】
各種内蔵物が挿通配置された挿入部を外装する内視鏡の可撓管において、各種内蔵物が挿通配置されて外周面に螺旋溝が形成された可撓性チューブと、螺旋溝内に嵌め込まれたコイルスプリングと、螺旋溝に沿って可撓性チューブをきつく締め付ける状態と締め付けない状態とにコイルスプリングの径を変化させるためのコイル径制御手段とが設けられている。
【実施例】
【００１３】
図面を参照して本発明の実施例を説明する。
図３は内視鏡の全体構成を示しており、外力によって屈曲自在な可撓管部１と、その可撓管部１の基端に連結された操作部４からの遠隔操作によって二点鎖線で例示されるように任意の方向に任意の角度だけ屈曲させることができる湾曲部２と、図示されていない観察窓等が配置された先端部本体３とによって挿入部が構成されている。５は、操作部４に配置された湾曲操作ノブである。
【００１４】
この実施例の可撓管部１は、可撓性が可変でない先端寄りの可撓性一定部１Ａと、可撓性が可変に構成された基端寄りの可撓性可変部１Ｂとを連結して形成されており、その内部には、光学繊維束やチューブ類等を含む各種内蔵物が全長わたって挿通配置されている。
【００１５】
可撓性一定部１Ａは、例えば金属螺旋管に網状管を被覆してその外面に可撓性外皮を被覆する等の公知のどのような構成を採っていてもよい。可撓性可変部１Ｂは、可撓管部１と操作部４との連結部に配置されたコイル径調整環１６（コイル径制御手段）を軸線周りに回転操作することによって可撓性を変化させることができる。
【００１６】
図１及び図２は可撓管部１の基端付近を示しており、可撓性可変部１Ｂは、各種内蔵物１０が全長にわたって挿通配置された例えばポリウレタン樹脂チューブ、フッ素樹脂チューブ等のような可撓性のあるチューブ材からなる可撓性チューブ１１の外周面に螺旋溝１２が形成されて、例えばバネ用ステンレス鋼線、ピアノ線又はポリカーボネイト等のような金属製又はプラスチック製のバネ線材等からなるコイルスプリング１３がその螺旋溝１２に嵌め込まれた構成になっている。なお、その外面にさらに可撓性外皮チューブ１４を被覆してもよい。
【００１７】
この実施例においては、螺旋溝１２の断面形状が矩形状に形成されて、その中に正円形の断面形状のコイルスプリング１３が嵌め込まれているが、各々その他の断面形状であっても差し支えない。また、可撓性チューブ１１とコイルスプリング１３の材質が上記以外の材質であっても差し支えない。
【００１８】
可撓性チューブ１１の基端は、操作部４に固定的に設けられているフレーム筒４０の先端に連結固着されている。また、コイル径調整環１６は軸線周りに回転自在にフレーム筒４０に嵌合、軸支されていて、コイルスプリング１３の一端１３ａがコイル径調整環１６に係止されている。コイルスプリング１３の他端側は、可撓性チューブ１１の先端側の部分に接着により又は機械的手段により固定されているが、その図示は省略されている。
【００１９】
コイル径調整環１６の操作部４寄り側の端面とフレーム筒４０とには、互いに噛み合う鋸歯状の噛み合い部１７が形成されていて、図１に示されるように、噛み合い部１７が噛み合った状態ではコイル径調整環１６の回転運動が阻止される。
【００２０】
そして、図２に示されるように、コイル径調整環１６を軸線方向に先側に移動させれば噛み合い部１７の噛み合いが外れてコイル径調整環１６が軸線周りに回転自在になり、コイル径調整環１６を回転させた状態で噛み合い部１７を係合させれば、その位置でコイル径調整環１６が回転できない状態になる。
【００２１】
コイル径調整環１６を軸線周りに回転させると、一端１３ａがコイル径調整環１６に連結されているコイルスプリング１３が一端１３ａから軸線周りに捩じられてコイルスプリング１３の径が変化する。
【００２２】
そして、図１に示されるように、コイルスプリング１３が螺旋溝１２に沿って可撓性チューブ１１をきつく締め付ける状態にすると、可撓性チューブ１１の可撓性が低下して可撓性チューブ１１が硬く曲がり難くなり、噛み合い部１７を係合させてその状態を保持することができる。
【００２３】
また、図２に示されるように、コイルスプリング１３が螺旋溝１２に沿って可撓性チューブ１１を締め付けないで螺旋溝１２内において緩んだ状態にすると、可撓性チューブ１１の可撓性が大きくなって可撓性チューブ１１が柔らかく曲がり易くなり、噛み合い部１７を係合させてその状態を保持することができる。
【００２４】
このようにして、可撓性チューブ１１の外周に巻き付けられた状態になっているコイルスプリング１３を軸線周りに捩じることによって可撓性チューブ１１の可撓性を変化させることができるので、可撓性チューブ１１の内部スペースを犠牲にする必要がなく、且つ可撓性チューブ１１の可撓性が硬い状態に調整された状態でも内蔵物１０を全く損傷する恐れがない。
【００２５】
なお、本発明は上記実施例に限定されるものではなく、例えば図４に示されるように、コイルスプリング１３を機械的に捩じる代わりに、コイルスプリング１３を例えばNi−Ti等のような形状記憶合金材により形成して、コイル径制御手段としてコイルスプリング１３に通電するための電源２１とスイッチ２２とを設け、スイッチ２２を閉じてコイルスプリング１３が発熱するとコイルスプリング１３の径が変化して可撓性チューブ１１の可撓性が変化するようにしてもよい。
【００２６】
また、図５に示されるように、コイルスプリング１３が形状記憶合金材で形成された可撓性可変部１Ｂを複数の領域１Ｂａ，１Ｂｂに分けると共に、各領域１Ｂａ，１Ｂｂに対応する複数のスイッチ２２ａ，２２ｂを設けて、可撓性可変部１Ｂの可撓性を複数の領域１Ｂａ，１Ｂｂ毎に任意に変化させることができるようにすれば、大腸内等のような複雑な形状の管状臓器への挿入操作の際に非常に有効である。
【００２７】
また、可撓性可変部１Ｂの可撓性を、機械的な手段によって複数の領域１Ｂａ，１Ｂｂ毎に任意に変化させることができるようにしてもよい。
【図面の簡単な説明】
【００２８】
【図１】本発明の第１の実施例の内視鏡の可撓管の可撓性を小さく調整した状態の部分側面半断面図である。
【図２】本発明の第１の実施例の内視鏡の可撓管の可撓性を大きく調整した状態の部分側面半断面図である。
【図３】本発明の第１の実施例の内視鏡の側面図である。
【図４】本発明の第２の実施例の内視鏡の可撓管の部分側面半断面図である。
【図５】本発明の第３の実施例の内視鏡の側面図である。
【符号の説明】
【００２９】
１  可撓管部
１Ａ  可撓性一定部
１Ｂ，１Ｂａ，１Ｂｂ  可撓性可変部
１０  内蔵物
１１  可撓性チューブ
１２  螺旋溝
１３  コイルスプリング
１４  可撓性外皮チューブ
１６  コイル径調整環（コイル径制御手段）
１７  噛み合い部
２１  電源（コイル径制御手段）
２２  スイッチ（コイル径制御手段）
【図１】
2006087755.tif 000003
【図２】
2006087755.tif 000004
【図３】
2006087755.tif 000005
【図４】
2006087755.tif 000006
【図５】
2006087755.tif 000007